(57)【要約】【課題】樹脂層と金属層を含むラミネートシートからなる電池ケースに、正極／分離膜／負極構造の電極組立体が内蔵されている二次電池において、内側樹脂層及び遮断性金属層が外部に露出されるのを防止することによって、水分の浸入及び電解液の漏れ現象を防止するだけでなく、電池の組立過程または使用過程における予期せぬ状況で遮断性金属層と電極端子などが接続することから生じる腐食現象を防止し、結果として電池の長寿命化及び安全性向上を図る。【解決手段】ラミネートシートは、内側樹脂層、遮断性金属層及び外側樹脂層を含む構造となっており、該ラミネートシート同士が接するシーリング部で、内側樹脂層同士は熱融着によって結合されており、これら内側樹脂層の結合部を取り囲む構造で金属層が溶接によって相互結合されており、これら金属層の結合部を取り囲む構造で外側樹脂層が熱融着または別の樹脂によって相互結合されているリチウム二次電池を提供する。【選択図】図２
2008021634.tif 000002
【特許請求の範囲】
【請求項１】
樹脂層と金属層を含むラミネートシートからなる電池ケースに、正極／分離膜／負極構造の電極組立体が内蔵されている二次電池であって、
前記ラミネートシートが、内側樹脂層と、遮断性金属層と、及び外側樹脂層からなり、該ラミネートシート同士が相互に接するシーリング部で、内側樹脂層同士が熱融着によって相互に結合されており、該内側樹脂層同士の結合部を被覆する構造で金属層同士が溶接によって相互に結合されており、該金属層同士の結合部を被服する構造で外側樹脂層同士が熱融着または別の樹脂によって結合されていることを特徴とする、二次電池。
【請求項２】
前記外側樹脂層が、優れた機械的強度と耐候性を有する高分子樹脂を含有しており、前記内側樹脂層が、耐電解液性と熱融着性の高分子樹脂を含有していることことを特徴とする、請求項１に記載の二次電池。
【請求項３】
前記外側樹脂層の高分子樹脂が、延伸ナイロンを含むことを特徴とする、請求項２に記載の二次電池。
【請求項４】
前記内側樹脂層の高分子樹脂が、無延伸ポリプロピレンを含むことを特徴とする、請求項２に記載の二次電池。
【請求項５】
前記金属層と内側樹脂層との間には、接着層がさらに形成されていることを特徴とする、請求項１に記載の二次電池。
【請求項６】
前記外側樹脂層の厚さが５〜４０μｍであり、前記金属層の厚さが２０〜１５０μｍであり、前記内側樹脂層の厚さが１０〜１００μｍであることを特徴とする、請求項１に記載の二次電池。
【請求項７】
前記金属層の端部が、内側樹脂層の厚さ以上の長さで延びていることを特徴とする、請求項１に記載の二次電池。
【請求項８】
前記金属層の端部が、内側樹脂層厚さの１２０〜２００％の長さで延びていることを特徴とする、請求項７に記載の二次電池。
【請求項９】
前記金属層同士の結合が、レーザー溶接で達成されることを特徴とする、請求項１に記載の二次電池。
【請求項１０】
前記外側樹脂層同士の結合は、
ラミネートシートの結合された端部に熱加圧圧縮を行った後、圧縮された外側樹脂層を熱鎔融させることによって互いに結合させる方式と、
前記外側樹脂層の端部を遮断性金属層の厚さ以上の長さで延長して形成し、該延長部位を熱融着させて互いに結合させる方式と、
別の樹脂によって結合させる方式のいずれかの方式によって達成されることを特徴とする、請求項１に記載の二次電池。
【請求項１１】
前記内側樹脂層、金属層及び外側樹脂層の端部は、対面するラミネートシートと対称をなすように内側にテーパーし連続的な傾斜面を形成し、熱融着による内側樹脂層の結合、溶接による金属層の結合、及び熱融着による外側樹脂層の結合時に、前記端部傾斜面を内側樹脂層方向に折り曲げることを特徴とする、請求項１に記載の二次電池。
【請求項１２】
前記電池が、高出力大容量の電池または電池パック用単位電池として使用されることを特徴とする、請求項１に記載の二次電池。
【請求項１３】
前記電池が、電気自動車またはハイブリッド電気自動車の電源として使用されることを特徴とする、請求項１に記載の二次電池。
【発明の詳細な説明】
【技術分野】
【０００１】
本発明は、シーリング部の安全性が向上した二次電池に係り、より詳細には、樹脂層及び金属層を含むラミネートシートからなる電池ケースに、正極／分離膜／負極構造の電極組立体が内蔵されている二次電池において、該ラミネートシートは、内側樹脂層、遮断性金属層及び外側樹脂層を含む構造を有し、ラミネートシート同士が互いに接するシーリング（sealing）部で内側樹脂層、金属層及び外側樹脂層が相互に結合されているリチウム二次電池に関する。本発明によるラミネートシートは、耐水性及びバリア性に優れている他、金属層の腐食現象を防止することができるため、電池の寿命及び安全性を向上させるなど、様々な利点を提供可能である。
【背景技術】
【０００２】
モバイル機器に対する技術開発と需要が増加するに伴い、エネルギー源としての二次電池の需要も急増してきた。二次電池の中でも、高いエネルギー密度と放電電圧を有するリチウム二次電池は、多くの研究によって商用化レベルに達し、現在広く使用されている。
【０００３】
リチウム二次電池は、その外形によって、大きく、円筒形電池、角形電池、パウチ形電池などに分類され、電解液の形態によって、リチウムイオン電池、リチウムイオンポリマー電池、リチウムポリマー電池などに分類されることもある。
【０００４】
近来、モバイル機器の小型化の傾向に伴い、厚さの薄い角形電池、パウチ形電池の需要が増加してきており、特に、形態の変形がし易く、製造コストが低く、且つ、重量の小さいパウチ形電池に対する関心が高まっている。パウチ形電池は、樹脂層及び金属層を含むラミネートシートをパウチ形にした電池ケースに、正極／分離膜／負極構造の電極組立体が内蔵されている電池である。
【０００５】
図１に、パウチ形電池に一般に使用されるラミネートシートのシーリング部を形成する過程及びラミネートシートの結合された断面を模式的に示す。
【０００６】
図１を参照すると、ラミネートシート１０は、最外郭をなす外側樹脂層１１、物質の貫通を防止する遮断性金属層１２、及びシールのための内側樹脂層１３で構成されている。
【０００７】
外側樹脂層１１は、外部から電池を保護する役割を担うもので、厚さに対して優れた引張強度及び耐候性などが要求され、一般に、ＯＮｙ（延伸ナイロン）が使用されている。遮断性金属層１２は、空気、湿気などが電池内に浸入することを防ぐ役割を担うもので、一般に、アルミニウム（Ａｌ）が使用されている。内側樹脂層１３は、電極組立体を内蔵した状態で、印加された熱と圧力によって相互熱融着されシール性を提供する役割を担うもので、一般に、ＣＰＰ（無延伸ポリプロピレン）が使用されている。
【０００８】
このような多層ラミネート構造の電池ケースシート１０は、シーリング部で内側樹脂層１３同士が互いに対面する構造となり、これら内側樹脂層１３は、熱融着によって互いに結合される。したがって、内側樹脂層１３は、結合したラミネートシートの端部において外部へ露出され、また、主として高分子樹脂からなるため、水分の浸入及び電解液の漏れが発生する恐れがあり、よって、長期使用時に、電池の寿命及び安全性を阻害する要因となる。
【０００９】
そこで、上記のような水分の浸入及び電解液の漏れを防止する種々の工夫がなされてきた。例えば、互いに接合されたラミネートフィルムの側端部を、熱加圧圧縮し金属膜(遮断性金属層)同士を接触させることで、内側にくる樹脂膜（内側樹脂層）を金属膜で被覆されるようにしたラミネートシート電池ケースが開示されている（例えば、特許文献１）。しかしながら、このラミネートシートは、単に熱加圧圧縮成形で金属膜同士を接触させているため、金属膜同士の結合が強固でなく、充分な耐水性を発揮できず、長期使用時には金属膜の結合が緩み分離してしまうという問題点があった。
【００１０】
また、一対のラミネートフィルムのうち一方のフィルムの周縁部を他方のフィルムの周縁部よりも外方に延設し、この延設部分の先端部を他方のフィルムの周縁部側に折り返してそれぞれの先端同士を突き合わせ、この突き合わせた部分に対してレーザ溶接を行い最外層をレーザー光の熱によって揮発させることで、双方の金属層の端部同士を溶融させ結合することによって、内側樹脂層の露出による電解液の漏れ及び水分の浸入を防止する技術が開示されている（例えば、特許文献２）。また、金属箔層と熱融着層を積層した後に、電池ケースの内部に向かう熱融着部の一部を除去し金属箔を露出させ、シーリング時に内部熱融着フィルムの熱融着と露出された金属層の溶接を通じて二重でシーリング処理をする技術が提示されている（例えば、特許文献３）。
【特許文献１】日本特許出願公開第２００４−０８７２３９号
【特許文献２】日本特許出願公開第２００４−０５５１５４号
【特許文献３】日本特許出願公開第２０００−２２３０９０号
【発明の開示】
【発明が解決しようとする課題】
【００１１】
しかしながら、上記の技術のいずれも、シーリング部の端部で金属層が外部に露出され、これにより、下記のような深刻な問題点を抱えていた。
【００１２】
電池ケースは、電極組立体を絶縁状態にシールして安全な作動を保障する役割を担うことから、電池ケースのラミネートシートの遮断性金属層は、電気的に絶縁状態に維持される必要がある。一方、二次電池では、電池セルの外部入出力接続端子としての電極リード、電池セルと保護回路モジュール(ＰＣＭ)などの連結のための電気的接続部材などにニッケルプレートが多く使用されている。
【００１３】
なお、電池の組立過程または使用過程でラミネートシートの遮断性金属層が、電極リードまたは接続部材としてのニッケルプレートと電気的接続状態に置かれる予期せぬ状況が発生しうる。このような電気的接続状態で二次電池の充放電が行なわれると、遮断性金属層の腐食現象が進行し、遮断性金属層の損傷が起こるため、電池の寿命が急速に減少し、電池の安全性も著しく低下してしまう。
【００１４】
特に、電気自動車、ハイブリッド自動車などの電源として中大型電池パックに使用される二次電池は、長寿命性が要求され、また、多数の電池セルが密集する特性の上、安全性確保が極めて重要である。
【００１５】
したがって、水分の浸入及び電解液の漏れを防止しながらも、予期せぬ状況の発生によって電池ケースの遮断性金属層が接続部材などと電気的に接続することを未然に防止することによって、電池の寿命及び安全性を確保できる技術開発が至急望まれている。
【００１６】
そこで、本出願の発明者等は、様々な実験と深い研究を重ねた結果、電池ケースとしてのラミネートシートにおいて、内側樹脂層同士の結合部が金属層を被覆するように溶接によって金属層同士を結合し、これら金属層の結合部を外側樹脂層が被覆するように、外側樹脂層同士を熱融着または別の樹脂によって結合すると、ラミネートシートの耐水性及び耐久性が大きく向上すると同時に、遮断性金属層の腐食現象が根本的に防止され、結果として電池の寿命及び安全性の向上を確保できるということを見出し、本発明を完成するに至った。
【００１７】
したがって、本発明の目的は、長寿命化及び安全性向上を図ることができる、シーリング部の安全性が向上した二次電池を提供することにある。
【課題を解決するための手段】
【００１８】
上記目的を達成するために、本発明に係る二次電池は、樹脂層と金属層を含むラミネートシートからなる電池ケースに、正極／分離膜／負極構造の電極組立体が内蔵されている二次電池であって、前記ラミネートシートは、内側樹脂層、遮断性金属層及び外側樹脂層からなり、該ラミネートシート同士が接するシーリング部で、内側樹脂層同士は熱融着によって結合されており、該内側樹脂層同士の結合部を被覆するように金属層同士が溶接によって結合されており、該金属層同士の結合部を被服するように外側樹脂層同士が熱融着または別の樹脂によって結合されていることを特徴とする。
【００１９】
本発明の電池ケース用ラミネートシートは、端部が結合された金属層によって耐水性及び耐久性を大きく向上させると同時に、同様に端部が結合された外側樹脂層によって遮断性金属層が外部に露出されるのを防止することによって、電池の寿命及び安全性に大きく影響を及ぼす恐れのある電気的接続による腐食問題を根本的に解決することができる。
【００２０】
前記外側樹脂層は、外部環境に対して優れた耐性を持たなければならず、所定以上の引張強度と耐候性を持つことが必要である。したがって、外側樹脂層の高分子樹脂には、ポリエチレンテレフタレート（ＰＥＴ）と延伸ナイロンフィルムが好適に使用されることができる。
【００２１】
前記遮断性金属層は、ガス、湿気などの異物の流入及び電解液の漏れを防止する機能の外に、電池ケースの強度を向上させる機能を発揮できるように、アルミニウムからなると好ましい。
【００２２】
前記内側樹脂層の高分子樹脂としては、熱融着性（熱接着性）を有し、且つ、電解液の浸入を抑制するよう、吸湿性が低く、電解液によって膨脹または浸食しないポリオレフィン（polyolefin）系樹脂を使用することが好ましく、より好ましくは、無延伸ポリプロピレン（ＣＰＰ）を使用する。
【００２３】
一般に、ポリプロピレンなどのようなポリオレフィン系樹脂は、金属との接着力が低いので、前記遮断性金属層との接着力を向上させるために、前記金属層と内側樹脂層間に接着層をさらに形成することが好ましい。前記接着層の素材には、例えば、ウレタン(urethane)系物質、アクリル(acryl)系物質、熱可塑性エラストマー（elastomer）を含有する組成物などがあるが、これらに限定されるものではない。
【００２４】
好ましい一例において、本発明によるラミネートシートは、前記外側樹脂層の厚さが５〜４０μｍで、前記金属層の厚さが２０〜１５０μｍで、前記内側樹脂層の厚さが１０〜１００μｍでありうる。これら厚さが薄すぎると、物質に対する遮断機能と強度向上が期待し難く、逆に、厚すぎると加工性が落ちる他に、シートの厚さ増加を誘発するので好ましくない。
【００２５】
上にも述べたように、従来は、ラミネートシート同士が接するシーリング部が、単に内側樹脂層の結合によってのみ形成されるが、この内側樹脂層は、高分子樹脂からなるため金属層に比べて水分の浸透に極めて弱く、よって、シーリング部で外部へ露出される内側樹脂層から水分が浸入する、または、電解液が漏れることによって、長期的には電池の性能を低下させる原因となる。
【００２６】
これに対し、本発明では、シーリング部で内側樹脂層同士の結合部が、金属層同士の結合部によって被覆されており、この金属層同士の結合部もまた外側樹脂層同士の結合部によって被覆されている。
【００２７】
好ましい一例において、本発明のラミネートシートは、前記金属層の端部が内側樹脂層の厚さ以上の長さで延びており、前記金属層同士の結合によって、金属間の緻密な組織が前記内側樹脂層の外周に存在するようになっているため、耐久性が向上し、電解液の漏れ及び水分の浸入を防止する等のバリア性が大きく向上し、結果として電池の性能低下を未然に防止することが可能である。
【００２８】
ここで、内側樹脂層を十分に被覆する構造とするよう、前記金属層の端部は、内側樹脂層厚さの１２０〜２００％の長さで延びていることが好ましい。この金属層の延長された長さが、内側樹脂層の厚さの１２０％未満であると、シーリング部全体に亘って結合された金属層が得難く、一方、２００％を超過すると、延長された長さ分の金属層を処理すべく追加的な工程が必要とされるので好ましくない。
【００２９】
前記金属層同士の結合には、超音波溶接を用いても良く、例えば、炭酸ガスレーザー光線を照射する等のレーザー溶接を用いても良い。超音波溶接を用いる場合は、高精度の溶接のために溶接ジグでラミネートシートの周囲を押下して置く必要がある。一方、炭酸ガスレーザー光線などを照射してレーザー溶接を行う場合には、溶接幅の調節が容易なために別の装置を必要としなく、エネルギー容量が大きく、且つ、金属箔表面で熱エネルギーとして吸収されるために溶接スピードを速く設定でき生産性を向上させることができ、より好ましい。
【００３０】
しかしながら、金属層同士の結合部が外部に露出されると、電池の組立過程または使用過程における予期せぬ状況、例えば、針状導体による貫通、または、外側樹脂層の部分的な脱離によってニッケルプレートと相互接触し電気的に接続される場合、電池の充放電時に起電力差による腐食問題が発生する恐れがあった。
【００３１】
この問題を解決するために、本発明のラミネートシートは、上述のように、金属層同士の結合部を取り囲む構造で外側樹脂層同士の端部が相互結合される。以下、外側樹脂層同士を結合させる具体的な例について説明する。
【００３２】
第一に、ラミネートシート同士の結合された端部に熱加圧圧縮を施した後、圧縮された外側樹脂層を熱溶融させることによって外側樹脂層同士を結合させる方法がある。熱加圧圧縮は、例えば、接合されるラミネートフィルムの側端部を、先端が傾いた形状のヒートプレス型に従って成形することによって可能である。
【００３３】
第二に、外側樹脂層の端部を遮断性金属層の厚さ以上の長さで延長して形成し、該延長部位を、内側樹脂層の結合におけると同様に、熱融着などの方法で結合させる方法がある。
【００３４】
第三に、別の樹脂を用いて結合させる方法がある。この場合、別の樹脂は、特に限定されるものではなく、所定の接着性を有し、且つ、耐久性に優れた樹脂はいずれも使用可能である。その例には、エポキシ(epoxy)系樹脂、ウレタン(urethane)系樹脂、アクリル(acryl)系樹脂、熱可塑性エラストマーなどがあり、これらに限定されるわけではない。該樹脂は、ラミネートシートの結合された端部を全体に亘って被服するように結合されても良く、遮断性金属層と外側樹脂層との間に挿入され、熱融着などの方法で結合されても良い。
【００３５】
場合によっては、ラミネートシートの内側樹脂層、金属層及び外側樹脂層の端部は、対面するシートと対称をなすように内側にテーパーし連続的な傾斜面を形成し、熱融着による内側樹脂層の結合、溶接による金属層の結合、及び熱融着による外側樹脂層の結合時に、前記端部傾斜面を内側樹脂層方向に折り曲げる構造にしも良い。
【００３６】
このように端部を傾斜面にすると、内側樹脂層の結合部位を被服する形態に金属層の結合がなされ、金属層の結合部位を被服する形態に外側樹脂層の結合がなされる側面で好ましい。
【００３７】
前記ラミネートシートは種々の方式で製造可能である。例えば、それぞれの層を構成するフィルム、金属箔などを順次に積層した後、相互に接着して製造でき、その接着方法の例には、乾式ラミネーション（Dry Lamination）、押出ラミネーション（Extrusion Lamination）方法がある。乾式ラミネーション方法は、接着剤を一側素材と他側素材との間に介在させて乾燥した後、加熱ロール（Heating Roll）を用いて両素材を常温よりも高い温度と圧力によって相互接着させる方法である。また、押出ラミネーション方法は、接着剤を一側素材と他側素材との間に介在させた後、プレッシングロール（Pressing Roll）を用いて両素材を常温で一定圧力によって接着させる方法である。
【００３８】
また、本発明は、上記のようなラミネートシートを用いて製造される二次電池製造用ケースを提供する。本発明による電池ケースは、様々な形態にすることができ、好ましくは、電極組立体をパウチ形に内蔵する形態にすると良い。すなわち、前記ラミネートシートの一側にドローイング加工によって電極組立体が装着される収納部を形成し、他側をカバーの形態に折り曲げることによってパウチ形電池ケースを形成することができる。これは、当業界に公知されているので、詳細説明は省略する。
【００３９】
本発明が適用される二次電池は、電池ケースの優れた寿命特性と安全性によって高出力大容量の電池または電池パック用単位電池として好適に使用されることができ、特に、高温でも高出力を必要とする電気自動車、ハイブリッド電気自動車などのような車両用電源として好適に使用されることができる。
【発明の効果】
【００４０】
本発明に係るラミネートシートは、シーリング部において内側樹脂層、金属層、外側樹脂層が特定の構造で相互に結合されており、シートの耐水性及び耐久性を向上させ、電池の組立過程または使用過程における予期せぬ状況で遮断性金属層と電極端子などとが接続することから発生する腐食現象を防止し、結果として電池の寿命及び安全性を向上させることが可能になる。
【発明を実施するための最良の形態】
【００４１】
以下、本発明の好適な実施形態を、添付の図面を参照しつつ詳細に説明する。ただし、下記の実施形態によって本発明の範ちゅうが限定されるものではない。
【００４２】
図２及び図３はそれぞれ、本発明の実施形態によるラミネートシートのシーリング部を形成する過程を示す断面模式図である。図４は、本発明によるラミネートシートを用いて製造されたパウチケースの一例を模式的に示す図である。説明の便宜上、以下では、ラミネートシートと電池ケースに同一符号１００を共通使用する。
【００４３】
まず、図２を参照すると、ラミネートシート１００は、最外層たる外側樹脂層１１０と熱融着性の内側樹脂層１３０の間に遮断性金属層１２０が介在された構造、すなわち、外側から外側樹脂層１１０、金属層１２０及び内側樹脂層１３０が順に積層された構造となっている。
【００４４】
図４に示すようなパウチ形ケース１００において電極組立体２１０が装着される収納部１４０とカバー１００の面側を形成する内側樹脂層１３０は、ＣＰＰ（無延伸ポリプロピレン）からなり、よって、リチウム含有電解液に耐性を有し、熱融着により基本的なシール性を提供する。
【００４５】
遮断性金属層１２０は、空気を含むガス、湿気などを遮断する機能を担うもので、内側樹脂層１３０を取り囲んで結合されるよう、内側樹脂層１３０よりも所定の長さだけ延びている。遮断性金属層１２０のシーリングによって内側樹脂層１３０が外部に露出されないため、耐水性及び耐久性が向上する。
【００４６】
電池ケースの外面を形成する外側樹脂層１１０は、ポリエチレンテレフタレート（ＰＥＴ）または延伸ナイロン（ＯＮｙ）からなるため、外部環境から電極組立体２１０を安定的に保護できるような引張強度と耐候性を提供することができる。外側樹脂層１１０は、遮断性金属層１２０を取り囲んで結合されるよう、遮断性金属層１２０よりも所定の長さだけ延びている。したがって、外側樹脂層１１０の延長された長さに対しては、熱融着や熱溶融成形などの結合方法が施される。このとき、外側樹脂層１１０の長さを必ずしも延長する必要はなく、これらの結合は、別の樹脂を用いて達成しても良い。いずれの場合も、外側樹脂層１１０同士の結合によって遮断性金属層１２０は外部に露出されず、腐食現象などを防止できる。
【００４７】
図３は、本発明の他の実施形態によるラミネートシートのシーリング部を形成する過程を示す断面模式図である。
【００４８】
図３を参照すると、ラミネートシート１０１を構成する外側樹脂層１１１、遮断性金属層１２１及び内側樹脂層１３１の端部は、対面するラミネートシート１０１ａと対称をなすように内側にテーパーし連続的な傾斜面１０２を形成している。
【００４９】
したがって、両シート１０１，１０１ａの端部を内側樹脂層１３１，１３１ａの方向にそれぞれ折り曲げると、両シート１０１，１０１ａの内側樹脂層１３１，１３１ａ、金属層１２１，１２１ａ、外側樹脂層１１１，１１１ａはそれぞれ互いに接するようになり、熱融着による内側樹脂層の結合、溶接による金属層の結合、及び熱融着による外側樹脂層の結合が容易となる。
【００５０】
図２及び図３に示すラミネートシート１００，１０１は、図４に示す二次電池において電池ケースとなる。
【００５１】
図４を参照すると、パウチ形二次電池２００は、パウチ形電池ケース１００の内部に、正極、負極、及びこれらの間に配置される固体電解質コーティング分離膜からなる電極組立体２１０が収納され、該電極組立体２１０の正極及び負極タブ２２０，２３０とそれぞれ電気的に接続される二つの電極リード２２２，２３２が外部へ露出された状態でシールされてなる。
【００５２】
電池ケース１００は、電極組立体２１０が装着されるよう凹状に形成された収納部１４２を有するケース本体１４０と、この本体１４０と一体に結合されているカバー１５０と、からなる。
【００５３】
スタック型電極組立体２１０は、複数の正極タブ２２０と複数の負極タブ２３０がそれぞれ融着され電極リード２２２，２３２に共に結合されている。また、ケース本体１４０の剰余部１４４とカバー１５０とが熱融着機によって熱融着される際に熱融着機と電極リード２２２，２３２間にショートが発生するのを防止し、電極リード２２２，２３２と電池ケース１００とのシール性を確保するために、電極リード２２２，２３２の上下面に絶縁フィルム２４０が付着される。
【００５４】
ケース本体１４０とカバー１５０は、上に説明したように、外側樹脂層１１０、遮断性金属層１２０及び内側樹脂層１３０から構成されており、内側樹脂層１３０は、ケース本体１４０の外面とカバー１５０の外面に加えられる熱融着機（図示せず）からの熱と圧力によって密着固定される。
【００５５】
電解液が充填された電極組立体２１０を収納部１４２に収納した状態で、ケース本体１４０の剰余部１４４とカバー１５０との接触部位を熱融着すると、シーリング部が形成される。このシーリング部で露出されている内側樹脂層１３０同士の結合部を被覆するために、前にも説明したように、所定の長さで突出している金属層１２０同士をレーザー溶接によって結合させ、その後、最外層である外側樹脂層１１０同士を結合させる。したがって、金属層１２０と、電極リード２２２，２３２を構成するニッケルプレートとが接続する場合、金属層１２０のアルミニウムと電極リード２２２，２３２のニッケルプレートとの起電力差による腐食を防止することができる。
【００５６】
周縁のシーリング部は、余計に両側方向に延びているので、電池パックの製造のために垂直に折り曲げる。
【００５７】
このようなパウチ電池１００は、シーリング部で内側樹脂層１３０が遮断性金属層１２０で被覆されており、遮断性金属層１２０は外側樹脂層１１０で被覆されているため、水分の浸入及び電解液の漏液を防止し、金属層の腐食現象を未然に防止でき、結果として電池の寿命及び安全性を大きく向上させることが可能になる。
【００５８】
以上では添付の図面を参照して本発明の具体的な実施形態について説明してきたが、本発明の属する技術分野における通常の知識を持つ者にとっては、上記内容に基づき、本発明の範ちゅう内で種々の応用及び変形が可能であることは勿論である。
【図面の簡単な説明】
【００５９】
【図１】一般の電池ケース用ラミネートシートのシーリング部を形成する過程を示す断面模式図である。
【図２】本発明の一実施形態によるラミネートシートのシーリング部を形成する過程を示す断面模式図である。
【図３】本発明の他の実施形態によるラミネートシートのシーリング部を形成する過程を示す断面模式図である。
【図４】本発明によるラミネートシートで形成されたパウチ型電池を示す分解斜視図である。
【符号の説明】
【００６０】
１０，１００，１０１    ラミネートシート
１１，１１０，１１１    外側樹脂層
１２，１２０，１２１    遮断性金属層
１３，１３０，１３１    内側樹脂層
【図１】
2008021634.tif 000003
【図２】
2008021634.tif 000004
【図３】
2008021634.tif 000005
【図４】
2008021634.tif 000006